(57)【要約】【課題】簡素な構成で、骨伝導レシーバと気導レシーバとの切り替えが適切に行え、且つ、各レシーバにおいて、最適な音の聞き取りが行える設定を行うことのできる受話装置を提供する。【解決手段】本発明の受話装置（１）は、受話装置（１）に備えられたタッチパネル（１０）に接触しているユーザの、接触箇所の面積又は、形状から骨伝導レシーバ（１６）または気導レシーバ（１７）の何れかに切り替える。【選択図】図１
2014090312.tif 000002
【特許請求の範囲】
【請求項１】
気導を通じて受話を行うための気導受話機能と、骨伝導を利用して受話を行うための骨伝導受話機能とを切り替え可能な受話装置であって、
受話者が耳近傍を接触させることで上記気導受話機能または上記骨伝導受話機能による受話可能状態にする受話部材と、
上記受話部材による受話可能状態で、受話者が上記受話部材に接触している接触領域を特定する接触領域特定部、及び上記接触領域特定部によって特定された接触領域に対応付けられた気導受話機能または骨伝導受話機能の何れかの受話機能に切り替える受話機能切替部を含む受話制御部とを備えたことを特徴とする受話装置。
【請求項２】
上記受話機能切替部は、
上記接触領域特定部によって特定された接触領域の面積に対応付けられた気導受話機能または骨伝導受話機能の何れかの受話機能に切り替えることを特徴とする請求項１に記載の受話装置。
【請求項３】
上記受話機能切替部は、
上記接触領域特定部によって特定された接触領域の形状に対応付けられた気導受話機能または骨伝導受話機能の何れかの受話機能に切り替えることを特徴とする請求項１に記載の受話装置。
【請求項４】
上記受話部材は、タッチパネルであることを特徴とする請求項１〜３の何れか１項に記載の受話装置。
【請求項５】
上記受話部材に対する受話者の近接状態を検出する近接センサが設けられ、
上記受話部材は、
上記近接センサによる検出値が予め設定された値以下になった場合に、受話可能状態にすることを特徴とする請求項１〜４の何れか１項に記載の受話装置。
【発明の詳細な説明】
【技術分野】
【０００１】
本発明は、気導を通じて受話を行うための気導レシーバと、骨伝導を利用して受話を行うための骨伝導レシーバとを備えた受話装置に関する。
【背景技術】
【０００２】
通常、気導を通じて受話を行うための気導レシーバと、骨伝導を利用して受話を行うための骨伝導レシーバとを備えた受話装置において、骨伝導レシーバを使用する際には、受話装置を受話者の耳あるいは耳近傍の一部に接触させる事により音を聞く。このとき、受話者は、受話装置との接触部から直接音を聞くため、外部環境にかかわらず音圧が低い場合においても正確に音を聞く事ができる。
【０００３】
一方、上記受話装置において、気導レシーバを使用する際には、受話者は、受話装置が耳の一部に接触した接触部より直接音を聞くわけではなく、空間の振動により音を耳で聞くようになっているいので、外部環境の影響を受けやすく、外部音が大きい場合には音圧を大きくして聞かないと聞こえない場合がある。
【０００４】
また、一般的に骨伝導によって聞こえる音と気導により聞こえる音は音の周波数特性、明瞭度などの特性（音響パラメータ）が異なるため、それぞれのレシーバにおいて音を聞き取りやすくするためには、それぞれの特性に応じた個別の設定を適切に行う必要がある。
【０００５】
このように、各レシーバにおいて音を聞き取りやすくするための技術が種々提案されている。
【０００６】
例えば、特許文献１には、ボリューム音量によって、骨伝導音と気導音のフィルタ特性を切り替えてどちらを利用する場合においても聞き取りやすい設定にする技術が記載されている。
【０００７】
また、特許文献２には骨伝導スピーカ、気導スピーカの両方を同一素子において実現している端末の使い方に関する特許が記載されている。骨伝導端末は耳への押圧により聞き取りやすさが変わるという特性を利用し、骨への押圧を手動で切り替えることにより、骨伝導音と気導音の、音の比率を変える技術である。
【０００８】
さらに、特許文献３には骨伝導レシーバ、気導レシーバの両方を搭載し、端末に感圧センサを搭載し、圧力により、骨伝導レシーバ、気導レシーバの音の比率を変えるという技術が記載されている。
【先行技術文献】
【特許文献】
【０００９】
【特許文献１】特開２００７−１９８９８号公報（２００７年１月２５日公開）
【特許文献２】特許第４５４１１１１号（２０１０年９月８日発行）
【特許文献３】特開２０１２−１０９６６３号公報（２０１２年６月７日公開）
【発明の概要】
【発明が解決しようとする課題】
【００１０】
しかしながら、特許文献１〜３の何れの場合も、各レシーバにおいて音を聞き取りやすくすることができるものの、骨伝導音を聞くための機能と、気導音を聞くための機能とを切り替える際に、以下のような種々の問題が生じる。
【００１１】
特許文献１の場合、ボリュームキーの設定によって、骨伝導音を聞くための機能と、気導音を聞くための機能との切り替えを行っている。このため、ユーザが音量調整を行うためにボリュームキーを操作した場合に、ユーザが所望しない何れかの機能に切り替わってしまう虞がある。
【００１２】
特許文献２の場合、骨への押圧をユーザが手動で切り替えて、骨伝導音と気導音の、音の比率を変えることによって、骨伝導音を聞くための機能と、気導音を聞くための機能との切り替えを行っている。この場合、骨への押圧に応じて、骨伝導音と気導音の、音の比率を変えているだけなので、それぞれの機能における音の最適値を設定することができないという問題が生じる。
【００１３】
特許文献３の場合、感圧センサにより検出された圧力により、骨伝導音と気導音の、音の比率を変えることによって、骨伝導音を聞くための機能と、気導音を聞くための機能との切り替えを行っている。この場合、感圧センサを別途設ける必要があるため、装置が複雑化、大型化するという問題が生じる。
【００１４】
本発明は、上記の各課題に鑑みなされたものであり、その目的は、簡素な構成で、骨伝導音を聞くための機能（骨伝導レシーバ）と、気導音を聞くための機能（気導レシーバ）との切り替えが適切に行え、且つ、各機能において、最適な音の聞き取りが行える設定を行うことのできる受話装置を提供することにある。
【課題を解決するための手段】
【００１５】
上記の課題を解決するために、本発明の一態様に係る受話装置は気導を通じて受話を行うための気導受話機能と、骨伝導を利用して受話を行うための骨伝導受話機能とを切り替え可能な受話装置であって、受話者が耳近傍を接触させることで上記気導受話機能または上記骨伝導受話機能による受話可能状態にする受話部材と、上記受話部材による受話可能状態で、受話者が上記受話部材に接触している接触領域を特定する接触領域特定部と、上記接触領域特定部によって特定された接触領域に対応付けられた気導受話機能または骨伝導受話機能の何れかの受話機能に切り替える受話機能切替部を含む受話制御部とを備えている。
【発明の効果】
【００１６】
本発明の一態様によれば、簡素な構成で、骨伝導音を聞くための機能（骨伝導レシーバ）と、気導音を聞くための機能（気導レシーバ）との切り替えが適切に行え、且つ、各機能において、受話者が聞き取り易い設定が行えるという効果を奏する。
【図面の簡単な説明】
【００１７】
【図１】本発明の一実施の形態に係る受話装置の概略構成ブロック図である。
【図２】図１に示す受話装置が備える受話制御部の概略構成ブロック図である。
【図３】図１に示す受話装置において、ユーザがタッチパネルに接触したときの接触領域を示し、（ａ）は骨伝導受話機能を実現する際のユーザのタッチパネルに接触した領域を示し、（ｂ）は気導受話機能を実現する際のユーザがタッチパネルに接触した領域を示す図である。
【図４】図１に示す受話装置における受話機能の切替制御処理の流れを示すフローチャートである。
【発明を実施するための形態】
【００１８】
〔実施形態〕
本発明の一実施形態について説明すれば以下の通りである。なお、本実施の形態では、一般にタッチパネルを搭載しているスマートフォンに適用した受話装置について説明する。
【００１９】
＜受話装置１の概略構成＞
図１は、本実施の形態に係る受話装置１の概略構成ブロック図である。
【００２０】
受話装置１は、気導を通じて受話を行うための気導受話機能と、骨伝導を利用して受話を行うための骨伝導受話機能とを切り替え可能な装置であって、図１に示すように、タッチパネル（受話部材）１０と受話制御部１１とを備え、さらに、上記受話制御部１１を中心に、通信制御部１２、近接センサ１３、タッチパネル制御部１４、記憶部１５、骨伝導レシーバ１６、気導レシーバ１７を備えた構成となっている。
【００２１】
上記タッチパネル１０は、表示部としての機能、スマートフォンにおける入力インターフェースとしての機能、受話者が耳近傍を接触させた箇所を検出する受話部材としての機能を奏するものであり、接触箇所を特定するための情報（座標値）を、当該タッチパネル１０の起動制御を行う上記タッチパネル制御部１４に出力するようになっている。
【００２２】
上記受話制御部１１は、ＣＰＵ等からなり、受話装置１内の各部を制御する制御装置である。この受話制御部１１による受話制御の詳細な説明は後述する。
【００２３】
上記通信制御部１２は、受話時において、基地局から受信した通信電波から、受話装置１が受ける音声データを抽出して、上記受話制御部１１に送信するようになっている。
【００２４】
上記近接センサ１３は、受話者と受話装置１の距離を測定し、測定値（検出値）を距離情報として上記受話制御部１１に送信するようになっている。通常、近接センサ１３は、タッチパネル１０に設けられ、受話者と当該タッチパネル１０との距離を測定する。
【００２５】
上記タッチパネル制御部１４は、上記受話制御部１１からタッチパネル起動指示を受信し、タッチパネル１０を起動させ、起動したタッチパネル１０に接触する受話者の接触領域Ｘを検出し、検出情報を受話制御部１１に送るようになっている。
【００２６】
上記記憶部１５は、骨伝導レシーバ１６と気導レシーバ１７のそれぞれの音響パラメータを調整するための調整値を保持しており、保持した調整値は、受話制御部１１によって必要に応じて取り出される。
【００２７】
ここで、音響パラメータとは、周波数特性、明瞭度特性などの、音が伝わる際の特性をパラメータ化したものである。そして、上記調整値は、骨伝導レシーバ１６と気導レシーバ１７のそれぞれにおいて、最適な設定で音を聞くために、周波数特性、明瞭度などの特性を示す音響パラメータを調整するための値である。
【００２８】
また、上記記憶部１５は、後述する受話者の接触箇所の形状パターンを記憶するようにしてもよい。
【００２９】
上記骨伝導レシーバ１６は、受話制御部１１から音声データを受け取り、受話装置１の骨伝導受話機能を実現するためのレシーバである。
【００３０】
上記気導レシーバ１７は、受話制御部１１から音声データを受け取り、受話装置１の気導受話機能を実現するためのレシーバである。
【００３１】
以下、上記受話装置１に備えられた受話制御部１１の受話制御について説明する。
【００３２】
ここで、上記受話制御部１１の説明をする前に、骨伝導受話機能と気導受話機能について説明する。
【００３３】
（骨伝導受話機能、気導受話機能）・・・・図３
上記構成の受話装置１は、上述のように、骨伝導を利用して受話を行うための骨伝導受話機能を実現するための骨伝導レシーバ１６と、気導を通じて受話を行うための気導受話機能を実現するための気導レシーバ１７とを備えている。
【００３４】
上記骨伝導レシーバ１６を使った骨伝導受話機能は、例えば図３（ａ）に示すように、受話者Ａの耳ａから少し遠ざけた位置（耳近傍）に、受話装置１のタッチパネル１０を接触させることで実現する。この場合、受話装置１のタッチパネル１０において特定された、受話者Ａに接触している接触領域Ｘは、タッチパネル１０のタッチ面１０ａの全領域に対して占める割合が多い。
【００３５】
一方、上記気導レシーバ１７を使った気導受話機能は、例えば図３（ｂ）に示すように、受話者Ａの耳ａに近い位置（耳近傍）に、受話装置１のタッチパネル１０を接触させることで実現する。この場合、受話装置１のタッチパネル１０において特定された、受話者Ａに接触している接触領域Ｘは、タッチパネル１０のタッチ面１０ａの全領域に対して占める割合が少ない。
【００３６】
上記接触領域Ｘがタッチ面１０ａの全領域に対して占める割合は、特に固定の割合である必要はなく、適宜設定が可能である。
【００３７】
また、骨伝導レシーバ１６と気導レシーバ１７は音響特性が異なる為、受話者に音を聞き取り易くするために、それぞれの機能を実現させる際には、上述した音響パラメータを最適に調整する必要がある。この調整に用いるのは、上述した記憶部１５に保持された調整値である。
【００３８】
（受話制御部１１）・・・・図２
図２は、受話制御部１１の概略構成ブロック図である。
【００３９】
受話制御部１１は、図２に示すように、接触領域特定部１０１、レシーバ切替部１０２、骨伝導レシーバ設定部１０３、気導レシーバ設定部１０４、距離判定部１０５を含んでいる。
【００４０】
上記接触領域特定部１０１は、図１に示すタッチパネル制御部１４からの検出情報から、受話者が上記タッチパネル１０に接触している接触領域を特定するようになっている。特定した接触領域の情報は、レシーバ切替部１０２に送る。ここで、特定した接触領域は、例えば先に説明した図３（ａ）（ｂ）に示す接触領域Ｘであり、この接触領域Ｘの位置（座標）情報等の情報をレシーバ切替部１０２に送る。
【００４１】
上記レシーバ切替部１０２は、接触領域特定部１０１から受け取った接触領域（例えば図３（ａ）（ｂ）に示す接触領域Ｘ）の情報に基づき、骨伝導レシーバ１６、気導レシーバ１７のどちらのレシーバを動作させるかの切り替えを決定する。すなわち、レシーバ切替部１０２は、上記接触領域特定部１０１によって特定された接触領域Ｘに対応付けられた気導レシーバ１７または骨伝導レシーバ１６の何れかのレシーバに切り替える。
【００４２】
具体的には、上記レシーバ切替部１０２は、上記接触領域Ｘの面積に対応付けられた気導レシーバ１７または骨伝導レシーバ１６の何れかのレシーバに切り替える。
【００４３】
ここでは、接触領域Ｘの面積が、予め設定した面積以上か否かを判定し、予め設定した面積以上であれば、骨伝導レシーバ１６を起動させ、予め設定した面積より小さければ、気導レシーバ１７を起動させるようにしている。
【００４４】
なお、骨伝導レシーバ１６と気導レシーバ１７との切替は、上述した接触領域Ｘの面積に応じて切り替える方法以外に、上記接触領域Ｘの形状に対応付けられた気導レシーバ１７または骨伝導レシーバ１６の何れかのレシーバに切り替える方法であってもよい。
【００４５】
この場合、接触領域Ｘに含まれる座標によって形成される形状を、予め登録された複数の形状から類似していると判定された形状に対応付けられたレシーバに切り替える。ここでは、接触領域Ｘに含まれる複数の座標のうち例えば８０％以上の座標が予め登録されている形状の座標に合致している場合に、形状が類似していると判断する。
【００４６】
登録する形状については、受話装置１を使用する受話者が実際に、骨伝導レシーバ１６を使用する場合と、気導レシーバ１７を使用する場合とでタッチパネルに耳近傍を接触させたときの接触領域から得た形状を用いるのが好ましい。
【００４７】
以上のようにしてレシーバを切り替えた後、上記レシーバ切替部１０２は、骨伝導レシーバ１６を起動させる場合、骨伝導レシーバ設定部１０３に通信制御部１２から受信した音声データを送る。一方、上記レシーバ切替部１０２は、気導レシーバ１７を起動させる場合には、気導レシーバ設定部１０４に通信制御部１２から受信した音声データを送る。
【００４８】
上記骨伝導レシーバ設定部１０３は、図１に示す記憶部１５から、図１に示す受話装置１を骨伝導レシーバ１６として適切に動作させるのに必要な調整値を読み出し、この調整値を用いて、当該骨伝導レシーバ１６の音響パラメータを調整する。
【００４９】
従って、受話者が聞き取り易いように、音響パラメータが調整された骨伝導レシーバ１６を用いれば、骨伝導受話機能に適した音を受話者に伝えることができる。
【００５０】
上記気導レシーバ設定部１０４は、図１に示す記憶部１５から、図１に示す受話装置１を気導レシーバ１７として動作させるのに必要な調整値を読み出し、この調整値を用いて、当該気導レシーバ１７の音響パラメータを調整する。
【００５１】
従って、受話者が聞き取り易いように、音響パラメータが調整された気導レシーバ１７を用いれば、気導受話機能に適した音を受話者に伝えることができる。
【００５２】
上記距離判定部１０５は、図１に示す近接センサ１３から受け取った距離情報を基に、受話者Ａと受話装置１の距離を判定し、判定結果をタッチパネル制御部１４に送るようになっている。この判定結果は、距離情報に含まれる受話者Ａと受話装置１（タッチパネル１０）との距離が、予め設定した距離以内にあるか否かを判定した結果である。
【００５３】
上記タッチパネル制御部１４は、上記距離判定部１０５からの判定結果から、タッチパネルを起動するか否かを示す制御信号をタッチパネル１０に送る。
【００５４】
ここで、タッチパネル制御部１４は、距離判定部１０５からの判定結果が、予め設定した距離以内であることを示している場合に、タッチパネル１０を起動させるための制御信号を当該タッチパネル１０に送るようになっている。
【００５５】
（受話制御処理）・・・・図４
上記構成の受話装置１における受話制御処理について説明する。
【００５６】
図４は、上記受話装置１における受話制御処理の流れを示すフローチャートである。
【００５７】
まず、受話装置１の利用を開始する（ステップＳ１１）。ここでは、受話制御部１１が、受話者Ａによる受話装置１の利用指示を受け付けることで、受話装置１を受話可能状態にする。
【００５８】
続いて、近接センサ１３をＯＮする（ステップＳ１２）。ここでは、受話制御部１１が、上記受話装置１利用開始に連動して、近接センサ１３をＯＮする。
【００５９】
次に、近接センサ１３の値が範囲内であるか否かを判定する（ステップＳ１３）。ここで、受話制御部１１は、近接センサ１３からの距離情報から、受話者Ａとタッチパネル１０との間の距離が予め設定した閾値以下か否かを判定する。
【００６０】
そして、近接センサ１３の値が閾値以下であると判定（Ｙｅｓ）すれば、ステップＳ１４に移行して、タッチパネル１０によるスキャンを開始させる。
【００６１】
一方、ステップＳ１３において、近接センサ１３の値が閾値より大きいと判定（Ｎｏ）すれば、受話装置１利用完了の判定を行う（ステップＳ１５）。ここで、受話装置１利用完了でないと判定（Ｎｏ）されれば、再びステップ１３に移行する。一方、受話装置１利用完了である判定（Ｙｅｓ）されれば、受話装置１を停止させ（ステップＳ１６）、受話終了の判定を行う（ステップＳ１７）。
【００６２】
ステップＳ１７において、受話終了と判定されれば、処理を終了し、受話終了と判定されなければ、再度ステップＳ１１に移行し、処理を続行する。
【００６３】
また、ステップＳ１４でタッチパネル１０によるスキャンが開始されれば、受話者Ａのタッチパネル１０への接触領域を特定する（ステップＳ１８）。ここでは、接触領域特定部１０１が、タッチパネル１０から得られた検出情報から、受話者Ａがタッチパネル１０に接触している領域を特定する。
【００６４】
続いて、レシーバの切り替えを行う（ステップＳ１９）。ここでは、受話制御部１１のレシーバ切替部１０２が、接触領域特定部１０１によって特定された接触領域Ｘに対応付けられた気導レシーバ１７または骨伝導レシーバ１６の何れかのレシーバに切り替える。
【００６５】
具体的には、特定された接触領域Ｘの面積に応じて、気導レシーバ１７または骨伝導レシーバ１６の何れかのレシーバに切り替える。この場合、特定された接触領域Ｘの面積が予め設定した面積以上である場合には、骨伝導レシーバ１６に切り替え、特定された接触領域Ｘの面積が予め設定した面積より小さい場合には、気導レシーバ１７に切り替える。
【００６６】
あるいは、特定された接触領域Ｘの形状に応じて、気導レシーバ１７または骨伝導レシーバ１６の何れかのレシーバに切り替える。この場合、接触領域Ｘの形状に含まれる特定のパターンと、各レシーバとを対応付けて予め記憶部１５等に記憶させておき、特定された接触領域Ｘの形状に含まれる特定のパターンから、予め記憶されたパターンに対応付けられた気導レシーバ１７または骨伝導レシーバ１６の何れかのレシーバに切り替える。
【００６７】
ステップＳ１９にて、骨伝導レシーバ１６に切り替えると、タッチパネル１０によるスキャンを停止し（ステップＳ２０）、記憶部１５から読み出した調整値を基に、骨伝導レシーバ１６の音響パラメータを設定し、当該骨伝導レシーバ１６を動作させる。（ステップＳ２１）。
【００６８】
一方、ステップＳ１９にて、気導レシーバ１７に切り替えると、タッチパネル１０によるスキャンを停止し（ステップＳ２２）、記憶部１５から読み出した調整値を基に、気導レシーバ１７の音響パラメータを設定し、当該気導レシーバ１７を動作させる（ステップ２３）。
【００６９】
上記、ステップＳ２１およびステップＳ２３において、骨伝導レシーバ１６あるいは気導レシーバ１７を動作させた後、ステップ１３の処理に移行する。このループ動作は予め設定した時間毎に行うが、必要に応じて適宜、ループ間隔を変更してもよい。
【００７０】
また、本実施形態においては、接触領域の判定を接触領域の面積または、接触領域の形状より行っているが、受話者Ａにより受話装置１の持ち方が異なるのが通常である。その為、受話装置１に、接触のパターンを入力することにより、接触のパターンを記憶する、学習機能をとりつけてもよい。
【００７１】
具体的には、接触領域Ｘの判定は、受話者が予め設定したパターンと、骨伝導レシーバ１６、気導レシーバ１７とを対応付けておき、タッチパネル１０のスキャンによって得られた接触領域Ｘに、含まれるパターンを特定して、特定したパターンに対応付けられたレシーバに切り替えるようにすればよい。
【００７２】
本実施形態では、受話装置１において実現する骨伝導レシーバ機能と、気導レシーバ機能とを、骨伝導レシーバ１６と気導レシーバ１７のように、別々の部材で実現するようになっているが、両方の機能を、同一のレシーバで実現してもよい。
【００７３】
また、本実施の形態では、タッチパネル１０による消費電力増大を抑制するために、受話者による受話状態において、タッチパネル１０によるスキャンの開始タイミングを、近接センサ１３により測定した受話者Ａと受話装置１の距離によって判断していたが、これに限定されるものではなく、受話者による受話状態への設定に連動して、タッチパネル１０によるスキャンを開始するようにしてもよい。
【００７４】
以上のように上記構成の受話装置１は、近接センサ１３により、受話装置１と受話者Ａの距離を測定し、測定された距離が閾値以下の場合、タッチパネル１０により、受話装置１と受話者Ａの接触領域Ｘの面積を測定し、測定した接触領域Ｘの面積から骨伝導レシーバ１６、気導レシーバ１７の切り替えを行うようになっている。
□そして、測定された接触領域Ｘの面積が予め設定した面積以上である場合、受話者Ａの利用目的が骨伝導レシーバ１６であると判定し、骨伝導レシーバ１６を動作させる。
□また、測定された接触領域Ｘの面積が予め設定した面積よりも小さい場合、受話者Ａの利用目的が気導レシーバ１７であると判定し、気導レシーバ１７を動作させる。
【００７５】
このように、上記のレシーバ切替には、タッチパネル１０によるスキャン動作を用いている。
【００７６】
タッチパネル１０については、受話装置１が、本実施形態でスマートフォンとして想定されている為、標準で搭載されている。その為、本発明において、特別な機材を追加する必要がない。
【００７７】
しかも、近接センサ１３を用いて、タッチパネル１０のＯＮ、ＯＦＦを切り替えることにより、常にタッチパネル１０のスキャンを実行するよりも、消費電力を抑えることが可能であり、受話装置１の駆動時間を延長することができる。
【００７８】
近年、気導レシーバを使用する際に、受話音を聞き取り易くするために、周囲ノイズを除去するアンチノイズキャンセレーション機能を搭載している受話装置がある。
【００７９】
このような受話装置において、骨伝導音の場合には上記機能をＯＦＦにするようにすれば、気導音で聞く場合はノイズキャンセラを利用し、骨伝導音で聞く場合は無駄なノイズの混入を抑制することが可能となる。
【００８０】
〔まとめ〕
本発明の一態様に係る受話装置１は、気導を通じて受話を行うための気導受話機能（気導レシーバ１７）と骨伝導を利用して受話を行うための骨伝導受話機能（骨伝導レシーバ１６）とを切り替え可能であって、受話者Ａが耳ａ近傍を接触させることで上記気導受話機能（気導レシーバ１７）または上記骨伝導受話機能（骨伝導レシーバ１６）による受話可能状態にする受話部材（タッチパネル１０）と、上記受話部材（タッチパネル１０）による受話可能状態で、受話者Ａが上記受話部材（タッチパネル１０）に接触している接触領域を特定する接触領域特定部１０１と、上記接触領域特定部１０１によって特定された接触領域に対応付けられた気導受話機能（気導レシーバ１７）または骨伝導受話機能（骨伝導レシーバ１６）の何れかの受話機能（レシーバ）に切り替える受話機能切替部（レシーバ切替部１０２）を含む受話制御部１１とを備えている。
【００８１】
上記の構成によれば、接触領域特定部１０１によって特定された接触領域、すなわち受話者の耳近傍が受話部材に接触した領域に対応付けられた気導受話機能（気導レシーバ１７）または骨伝導受話機能（骨伝導レシーバ１６）の何れかの受話機能（レシーバ）に切り替えるようになっているので、受話者は、自分の耳近傍を受話部材（タッチパネル１０）に接触させるだけで、目的とするレシーバを使用することが可能となる。
【００８２】
この場合、受話者は、接触領域とレシーバとの関係を把握しておくだけで、簡単に、且つ確実に、目的とするレシーバを使用することができる。つまり、簡素な構成で、骨伝導音を聞くための機能（骨伝導レシーバ）と、気導音を聞くための機能（気導レシーバ）との切り替えが適切に行うことができる。
【００８３】
しかも、骨伝導音を聞くための機能と、気導音を聞くための機能とを独立して実現しているため、各レシーバの音響パラメータを予め最適に設定しておくことが可能となる。
【００８４】
従って、上記構成の受話装置によれば、簡素な構成で、骨伝導音を聞くための機能（骨伝導レシーバ）と、気導音を聞くための機能（気導レシーバ）との切り替えが適切に行え、且つ、各機能において、受話者が聞き取り易い設定が行えるという効果を奏する。
【００８５】
本発明の一態様に係る受話装置１は、上記受話機能切替部（レシーバ切替部１０２）は、上記接触領域特定部１０１によって特定された接触領域の面積に対応付けられた気導受話機能（気導レシーバ１７）または骨伝導受話機能（骨伝導レシーバ１６）の何れかの受話機能（レシーバ）に切り替える。
【００８６】
上記の構成によれば、接触領域特定部１０１によって特定された接触領域、すなわち受話者の耳近傍が受話部材に接触した領域の面積に対応付けられた気導受話機能（気導レシーバ１７）または骨伝導受話機能（骨伝導レシーバ１６）の何れかの受話機能（レシーバ）に切り替えるようになっているのでで、受話者は、自分の耳近傍を受話部材（タッチパネル１０）に接触させるだけで、目的とするレシーバを使用することが可能となる。
【００８７】
ここでは、接触領域Ｘの面積が、予め設定した面積以上か否かを判定し、予め設定した面積以上であれば、骨伝導レシーバ１６を起動させ、予め設定した面積より小さければ、気導レシーバ１７を起動させる。
【００８８】
本発明の一態様に係る受話装置１は、上記受話機能切替部（レシーバ切替部１０２）は、上記接触領域特定部１０１によって特定された接触領域の形状に対応付けられた気導受話機能（気導レシーバ１７）または骨伝導受話機能（骨伝導レシーバ１６）の何れかの受話機能（レシーバ）に切り替える。
【００８９】
上記の構成によれば、接触領域特定部１０１によって特定された接触領域、すなわち受話者の耳近傍が受話部材に接触した領域の形状に対応付けられた気導受話機能（気導レシーバ１７）または骨伝導受話機能（骨伝導レシーバ１６）の何れかの受話機能（レシーバ）に切り替えるようになっているので、受話者は、自分の耳近傍を受話部材（タッチパネル１０）に接触させるだけで、目的とするレシーバを使用することが可能となる。
【００９０】
この場合、接触領域Ｘに含まれる座標によって形成される形状を、予め登録された複数の形状から類似していると判定された形状に対応付けられたレシーバに切り替える。ここでは、接触領域Ｘに含まれる複数の座標のうち例えば８０％以上の座標が予め登録されている形状の座標に合致している場合に、形状が類似していると判断する。
【００９１】
登録する形状については、受話装置１を使用する受話者が実際に、骨伝導レシーバ１６を使用する場合と、気導レシーバ１７を使用する場合とでタッチパネルに耳近傍を接触させたときの接触領域から得た形状を用いるのが好ましい。
【００９２】
本発明の一態様に係る受話装置１において、上記受話切替部（レシーバ切替部１０２）は、上記接触領域特定部１０１によって特定された接触領域Ｘに含まれる任意のパターンに対応付けられた気導受話機能（気導レシーバ１７）または骨伝導受話機能（骨伝導レシーバ１６）の何れかの受話機能（レシーバ）に切り替える。
【００９３】
本発明の一態様に係る受話装置１は、上記受話部材がタッチパネルである。
【００９４】
上記の構成によれば、受話部材がタッチパネルであれば、タッチパネルを搭載した受話装置、例えばスマートフォンなどにおいては、レシーバを切り替えるための特別な部材を別途設ける必要がなくなる。
【００９５】
本発明の一態様に係る受話装置１は、上記受話部材に対する受話者の近接状態を検出する近接センサが設けられ、上記受話部材は、上記近接センサによる検出値が予め設定された値以下になった場合に、受話可能状態にする。
【００９６】
上記の構成によれば、受話部材は、近接センサによる検出値、すなわち受話者と受話部材との距離が予め設定された値以下になった場合に、受話可能状態となるので、受話部材の電力消費を抑制できる。
【００９７】
このように、近接センサを用いて受話部材の起動を制御することは、特にスマートフォンなどにおいては、受話部材としてタッチパネルを使用する場合が多いので、タッチパネルの電力消費を抑制できることは、装置全体の消費電力の低減につながるため、非常に有効である。
【００９８】
本発明は、コンピュータを、上記の受話装置の受話制御部の各手段として機能させる受話制御プログラムによっても実現できる。
【００９９】
上記受話制御プログラムを、コンピュータ読み取り可能な記録媒体に記録してもよい。
【０１００】
この場合には、汎用なコンピュータにより本発明を実現できる。
【０１０１】
本発明は上述した実施形態に限定されるものではなく、請求項に示した範囲で種々の変更が可能であり、各請求項にそれぞれ開示された技術的手段を適宜組み合わせて得られる実施形態についても本発明の技術的範囲に含まれる。
【０１０２】
〔ソフトウェアによる実現例〕
最後に、受話装置１の各ブロック、特に受話制御部１１は、集積回路（ＩＣチップ）上に形成された論理回路によってハードウェア的に実現してもよいし、ＣＰＵ（Central Processing Unit）を用いてソフトウェア的に実現してもよい。
【０１０３】
後者の場合、受話装置１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである受話装置１の制御プログラムのプログラムコード（実行形式プログラム、中間コードプログラム、ソースプログラム）をコンピュータで読み取り可能に記録した記録媒体を、上記受話装置１に供給し、そのコンピュータ（またはＣＰＵやＭＰＵ）が記録媒体に記録されているプログラムコードを読み出し実行することによっても、達成可能である。
【０１０４】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１０５】
また、受話装置１を通信ネットワークと接続可能に構成し、上記プログラムコードを、通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１０６】
本発明は、気導を通じて受話を行うための気導レシーバと、骨伝導を利用して受話を行うための骨伝導レシーバとを備えた受話装置、特にタッチパネルを搭載した通信携帯端末に好適に利用することができる。
【符号の説明】
【０１０７】
１  受話装置
１０  タッチパネル（受話部材）
１１  受話制御部
１３  近接センサ
１６  骨伝導レシーバ（骨伝導受話機能）
１７  気導レシーバ（気導受話機能）
１０１  接触領域特定部
１０２  レシーバ切替部（受話機能切替部）
１０５  距離判定部
Ａ  受話者
ａ  耳
Ｘ  接触領域
【図１】
2014090312.tif 000003
【図２】
2014090312.tif 000004
【図３】
2014090312.tif 000005
【図４】
2014090312.tif 000006